(57)【要約】【課題】  本発明はＵＳＢメモリ装置によって特徴づけられるペンを提供する。【解決手段】  ＵＳＢメモリ装置によって特徴づけられるペンは、上部ペンホルダーと下部ペンホルダーを有するペンホルダーより構成される。上部ペンホルダーは収納空間部を有し、収納空間部の一端は上部ペンホルダーの外周に連通している。下部ペンホルダーは、ペン本体を収納するように構成される。折り畳み可能な接続プラグは、上部ペンホルダーの収納空間部内に収納され、支持座と、少なくとも１つの第１接続部と、少なくとも１つの第２接続部と、ＵＳＢ伝送インターフェースと適合可能な金属接点を有する。本体は、上部ペンホルダーの収納空間部内に収納され、少なくとも１つの電子部品を有する。【選択図】    図１
2010201910.tif 000002
【特許請求の範囲】
【請求項１】
上部ペンホルダーと下部ペンホルダーとを有し、前記上部ペンホルダーは、その内部に収納空間部を有し、前記収納空間部の一端は前記上部ペンホルダーの外周と連通し、少なくとも１つの圧縮ばねを前記収納空間部の他端に配設し、前記上部ペンホルダーは少なくとも１つのばね部材を有し、前記下部ペンホルダーにペン本体を収納するように構成したペンホルダーと、
前記上部ペンホルダーの前記収納空間部に収納され、支持座と、少なくとも１つの第１接続部と、少なくとも１つの第２接続部と、ＵＳＢ伝送インターフェースに適合する複数の金属接点とを有する折り畳み可能な接続プラグと、
前記上部ペンホルダーの前記収納空間部に収納され、少なくとも１つの電子部品を有する本体と、を具備することを特徴とするＵＳＢメモリ装置によって特徴づけられるペン。
【請求項２】
前記ばね部材は、少なくとも１つの押圧片と、少なくとも１つの押え板と、少なくとも１つの圧縮ばねを具備し、前記押え板は第１側縁部と第２側縁部とを有し、前記収納空間部の一端は前記上部ペンホルダーの端部と連通し、少なくとも１つの通路を前記収納空間部の外周に設け、前記通路の一端は前記上部ペンホルダーの外周と連通して切欠孔を形成し、かつ空所を前記通路の他端に設けたことを特徴とする請求項1記載のペン。
【請求項３】
前記押圧片を前記切欠孔に対向する状態で前記上部ペンホルダーの外周に配設し、前記押え板を前記通路に収納し、かつ前記押え板の前記第１側縁部を前記押圧片と結合し、前記圧縮ばねを前記通路の前記空所に収納すると共に前記押え板の前記第２側縁部と結合することを特徴とする請求項２記載のペン。
【請求項４】
前記押圧片の外周の端から端までの長さは、前記切欠孔の外周の端から端までの長さ以下であることを特徴とする請求項２記載のペン。
【請求項５】
前記押え板の外周の端から端までの長さは、前記通路の外周の端から端までの長さ以下であることを特徴とする請求項２記載のペン。
【請求項６】
前記圧縮ばねの高さは、前記切欠孔の高さ以上であることを特徴とする請求項２記載のペン。
【請求項７】
前記圧縮ばねに対応する前記折り畳み可能な接続プラグの端面は、第１の着脱係合凹部を有することを特徴とする請求項２記載のペン。
【請求項８】
前記第１の着脱係合凹部に対向する前記支持座の端面は、第２の着脱係合凹部を有することを特徴とする請求項７記載のペン。
【請求項９】
前記圧縮ばねは、前記支持座と前記本体との間に配置されていることを特徴とする請求項１記載のペン。
【請求項１０】
請求項１記載の前記ＵＳＢメモリ装置によって特徴づけられるペンを操作する方法であって、
（１）前記折り畳み可能な接続プラグが前記収納空間部内に収納されているとき、前記第２側縁部を前記第１の着脱係合凹部内に係合し、前記収納空間部内の前記圧縮ばねを圧縮状態にする工程と、
（２）前記ばね部材の圧縮ばねを圧縮状態に保持した状態で、前記ばね部材の前記押圧片に力を加え、前記押え板の前記第２側縁部を前記第１の着脱係合凹部の外に押し出す工程と、
（３）前記収納空間部内の前記圧縮ばねの予圧を解放し、前記折り畳み可能な接続プラグが前記収納空間部の外に飛び出すようにする工程と、
（４）前記押圧片を解除し、前記押え板の前記第２側縁部を第２の着脱係合凹部に係合する工程と、
（５）ファスナーを前記第１接続部と前記第２接続部との間の位置に移動し、前記第１接続部と前記第２接続部が折れ曲がらないようにする工程と、
（６）前記折り畳み可能な接続プラグの前記金属接点を、ＵＳＢ伝送インターフェースと適合可能なコンピュータまたは電子部品に電気的に接続する工程と、
を含むことを特徴とするＵＳＢメモリ装置によって特徴づけられるペンを操作する方法。
【請求項１１】
上部ペンホルダーと下部ペンホルダーを有するペンホルダーであって、前記上部ペンホルダーは、その内部に収納空間部を有し、前記収納空間部の一端は前記上部ペンホルダーの外周と連通しており、かつ前記下部ペンホルダーは、ペン本体を収納するように構成したペンホルダーと、
前記上部ペンホルダーの前記収納空間部に収納され、支持座と、少なくとも１つの第１接続部と、少なくとも１つの第２接続部と、ＵＳＢ伝送インターフェースと適合可能な複数の金属接点とを有する折り畳み可能な接続プラグであって、前記支持座は凹部を有し、可動座を前記凹部に配設し、かつ前記可動座は押圧片を有する折り畳み可能な接続プラグと、
前記上部ペンホルダーの前記収納空間部に収納され、少なくとも１つの電子部品を有する本体と、を具備することを特徴とするＵＳＢメモリ装置によって特徴づけられるペン。
【請求項１２】
前記折り畳み可能な接続プラグの前記凹部に対応する状態で溝穴を前記上部ペンホルダーの外周に設け、前記溝穴は前記上部ペンホルダーの内壁と外壁間を貫通し、前記押圧片は前記溝穴の中を通って移動し、かつ前記押圧片の外端は、前記上部ペンホルダーの外周より突出していることを特徴とする請求項１１記載のペン。
【請求項１３】
前記上部ペンホルダーと前記下部ペンホルダーは一体に形成されていることを特徴とする請求項１または１１記載のペン。
【請求項１４】
前記上部ペンホルダーと前記下部ペンホルダーは、着脱自在に連結されていることを特徴とする請求項１または１１記載のペン。
【請求項１５】
前記金属接点はUSB伝送インターフェースと適合可能な電子部品と電気的に接続され、前記電子部品はＥＤＩ装置であることを特徴とする請求項１または１１記載のペン。
【請求項１６】
前記折り畳み可能な接続プラグは、少なくとも１つのトラックを有し、前記トラックは、前記第１接続部と前記第２接続部の対向する端面に連通していることを特徴とする請求項１または１１記載のペン。
【請求項１７】
少なくとも１つのファスナーが、前記トラックに配設されていることを特徴とする請求項１６記載のペン。
【請求項１８】
前記本体は、電気接続線を介して前記折り畳み可能な接続プラグと電気的に接続されていることを特徴とする請求項１または１１記載のペン。
【請求項１９】
前記上部ペンホルダーの外径は、１２ｍｍ以下であることを特徴とする請求項１または１１記載のペン。
【請求項２０】
請求項１１記載の前記ＵＳＢメモリ装置によって特徴づけられるペンを操作する方法であって、
（１）折り畳み可能な前記接続プラグを前記収納空間部に収納する工程と、
（２）前記押圧片に力を加えて、前記押圧片を前記溝穴に沿って移動させ、前記折り畳み可能な接続プラグを前記収納空間部の外に押し出す工程と、
（３）前記ファスナーを、前記第１接続部と前記第２接続部間の位置に移動させ、前記第１接続部と前記第２接続部が折れ曲がらないようにする工程と、
（４）前記折り畳み可能な接続プラグの前記金属接点を、ＵＳＢ伝送インターフェースに適合可能なコンピュータまたは電子部品と電気的に接続する工程と、
とを具備することを特徴とするＵＳＢメモリ装置によって特徴づけられるペンを操作する方法
【発明の詳細な説明】
【技術分野】
【０００１】
本発明は、ＵＳＢメモリ装置によって特徴づけられるペンに関し、特に、筆記機能を有し、容易に持ち運べ、握りやすく、容易に替え芯を収納でき、さらに、折り畳み可能なプラグとＵＳＢインターフェースを備えたメモリ装置にも適応可能なＵＳＢメモリ装置によって特徴づけられるペンに関する。
【背景技術】
【０００２】
情報技術の急速な発展により、デジタル電子製品が、全ての人の多様な生活領域に広く普及している。デジタル電子製品に対する期待に伴い、デジタル電子製品の使用が高まり、消費者はもはや既存の機能性には満足しなくなっている。一方、このようなデジタル電子製品の使用の高まりによって、統合した目的に用いることができ、かつ、極めて容易に持ち運べる相互に関連性を有する製品の開発が望まれている。
【０００３】
一般に、ペンは、日々の生活において通常使用する道具であり、非常に可搬性に優れている。周知の普通のペンは、筆記のみに用いられるものである。もし、デジタルデータ記憶装置付のペンを使用できれば、ユーザーは、筆記だけでなくデジタルデータ記憶機能もさらに利用できることになり、複合機能を有するペンは、その利便性を大いに高めることができる。
【０００４】
本発明の出願人は、先に、メモリ装置をＵＳＢ（ユニバーサル・シリアル・バス）コネクタに付加して、可搬性や操作性といったユーザーの利便性を高めることができる構造について台湾特許出願Ｍ２４８６４を出願している。ところで、半導体プロセスの高度な発展の過程で、ＣＯＢ（Chip-On-Board：チップ・オン・ボード）パッケージ、あるいはＭＣＰ（Multi-Chip-Package：マルチチップ・パッケージ）プロセスのようなパッケージ小型化技術の著しい発展により、ＮＶＭ（Non-Volatile Memory：不揮発性メモリ）は大幅に小型化され、その密度を高めて大規模に集積化され、他の多くの製品にも適用可能となっている。
【０００５】
従って、メモリ装置を具備するペンは、実際の使用において、より実用性を発揮する。
【特許文献１】台湾特許出願Ｍ２４８６４号明細書
【発明の概要】
【０００６】
本発明の第１の目的は、以下の作用及び効果を奏するＵＳＢメモリ装置によって特徴づけられるペンを提供することにある。ＣＯＢあるいはＭＣＰといったパッケージ小型化技術を用いることによって、メモリ装置の小型化が可能となる。また、折り畳み可能な接続プラグの技術を用いることによって、接続プラグとメモリを収納空間部に収納でき、これによって、持ち運びに便利でかつ持ちやすいといったペン本来の筆記機能を、ペンホルダーの外径を大きくすることなく維持することができる。
【０００７】
本発明の第２の目的は、以下の作用及び効果を奏するＵＳＢメモリ装置によって特徴づけられるペンを提供することにある。ＣＯＢあるいはＭＣＰといったパッケージ小型化技術を用いることによって、メモリ装置の小型化が可能となる。また、折り畳み可能な接続プラグの技術を用いることによって、接続プラグとメモリを収納空間部に収納でき、これによって、メモリ装置を容易に収納でき、紛失を効果的に防止できる。
【０００８】
本発明の第３の目的は、以下の作用及び効果を奏するＵＳＢメモリ装置によって特徴づけられるペンを提供することにある。ＣＯＢあるいはＭＣＰといったパッケージ小型化技術を用いることによって、メモリ装置の小型化が可能となる。また、折り畳み可能な接続プラグの技術を用いることによって、接続プラグおよびメモリを収納空間部に収納し、これによって、本発明は、持ち運びに便利でかつ持ちやすいといったペン本来の筆記機能を維持し、かつ、ＵＳＢインターフェースを有するメモリ装置としての機能も果たすことにより、多機能化が可能となる。
【０００９】
上記した目的を達成するため、本発明は以下の技術的手段を用いる。ペン構造は、ペンホルダーと、折り畳み可能な接続プラグと、本体とを具備する。ペンホルダーは、上部ペンホルダーと下部ペンホルダーを有し、上部ペンホルダーは、その内部に収納空間部を形成し、収納空間部の一端は上部ペンホルダーの外周と連通し、少なくとも１つの圧縮ばねが他端に配設される。上部ペンホルダーは、少なくとも１つのばね部材を有し、下部ペンホルダーは、ペンの本体を収納するように構成される。折り畳み可能な接続プラグは、上部ペンホルダーの収納空間部内に配設され、支持座と、少なくとも１つの第１接続部と、少なくとも１つの第２接続部と、ＵＳＢ伝送インターフェースに適合可能な金属接点とを具備する。本体は、上部ペンホルダーの収納空間部内に配設され、少なくとも１つの電子部品を具備する。
【００１０】
他の方法として、本発明の目的は、以下の手段によっても達成できる。ペン構造はペンホルダーと、折り畳み可能な接続プラグと、本体とを具備し、ペンホルダーは上部ペンホルダーと下部ペンホルダーを具備し、上部ペンホルダーはその内部に収納空間部を有し、収納空間部の一端は上部ペンホルダーの外周と連通し、下部ペンホルダーはペンの本体を収納するように設けられている。折り畳み可能な接続プラグは、上部ペンホルダーの収納空間部内に配設され、支持座と、少なくとも１つの第１接続部と、少なくとも１つの第２接続部と、ＵＳＢ伝送インターフェースに適合可能な金属接点とを具備する。支持座は凹部を有し、可動座はその凹部に配設され、可動座は押圧片を有する。本体は、上部ペンホルダーの収納空間部内に収納され、少なくとも１つの電子部品を具備する。
【００１１】
従来技術と比較して本発明の機能と効果とを説明すると、折り畳み可能な接続プラグは折り畳み可能という特性を有するので、プラグを上部ペンホルダーの収納空間部内に収納することが可能となり、メモリ装置を、紛失の心配なくペンホルダー内に容易に収納でき、また、持ち運びに便利で持ち易いというペン本来の筆記機能も維持できる。即ち、本発明に係るペン構造は多機能を有する。
【図面の簡単な説明】
【００１２】
【図１】本発明の第1の好適な実施例に係るＵＳＢメモリ装置によって特徴づけられるペンの構成要素を示す分解斜視図である。
【図２】本発明のＵＳＢメモリ装置によって特徴づけられるペンの平面図である。
【図３】本発明のＵＳＢメモリ装置によって特徴づけられるペンの図２におけるＡ−Ａ断面図である。
【図４】本発明のＵＳＢメモリ装置によって特徴づけられるペンの図３におけるＢ−Ｂ断面図である。
【図５】本発明に係るファスナー付きメモリーモジュールを示す斜視図である。
【図６】本発明の第２の好適な実施例に係るＵＳＢメモリ装置によって特徴づけられるペンを一連の組み立て工程を示す斜視図である。
【図７】本発明の第２の好適な実施例に係るＵＳＢメモリ装置によって特徴づけられるペンの構成要素を示す分解斜視図である。
【図８】本発明の第３の好適な実施例に係るＵＳＢメモリ装置によって特徴づけられるペンの構成要素を示す分解斜視図である。
【図９】本発明の第３の好適な実施例に係るＵＳＢメモリ装置によって特徴づけられるペンを一連の組み立て工程を示す斜視図である。
【図１０】本発明の第４の好適な実施例に係るＵＳＢメモリ装置によって特徴づけられるペンの各構成要素を示す分解斜視図である。
【発明を実施するための形態】
【００１３】
以下、本発明を、幾つかの好適な実施例を参照して、より具体的に説明する。本発明の好適な実施例に係る以下の記載は、本発明を例示又は説明するためにのみ用いられるものであり、本発明を網羅するものではなく、また、本発明はこれらの実施例に記載された通りの構成に限定されるものでもない。
【００１４】
本発明の第１実施例に係るＵＳＢメモリ装置によって特徴づけられるペンを示す図１を参照して説明する。本発明の第１実施例に係るＵＳＢメモリ装置によって特徴づけられるペンは、上部ペンホルダー１０と下部ペンホルダー１１を有するペンホルダー１を具備する。下部ペンホルダー１１は、ペン本体、例えば詰め替えケース（替え芯）を有し、上部ペンホルダー１０と下部ペンホルダー１１は、着脱自在に接続されている。上部ペンホルダー１０は、その内部に収納空間部１０１を有し、収納空間部１０１の一端は上部ペンホルダー１０の一端に連通し、少なくとも１つの圧縮ばね１２が、上部ペンホルダー１０の他端に配設される。少なくとも１つの通路１０１１が、収納空間部１０１の一端に設けられ、通路１０１１の一端は、上部ペンホルダー１０の外周に連通して切欠孔１０１２を形成し、空所１０１３が、通路１０１１の他端に配設される。さらに、上部ペンホルダー１０は、少なくとも１つのばね部材１３を有し、ばね部材１３は、少なくとも１つの押圧片１３１と、少なくとも１つの押え板１３２と、少なくとも１つの圧縮ばね１３３とを具備する。押え板１３２は、第１側縁部１３２１と第２側縁部１３２２とを有し、押圧片１３１は、上部ペンホルダー１０の外周に配設され、切欠孔１０１２に対応する。また、上部ペンホルダー１０の外径は１２ｍｍ以下である。
【００１５】
図１と図３を併せて参照して説明する。押え板１３２は、通路１０１１内に収納され、押え板１３２の第１側縁部１３２１は押圧片１３１に結合されている。圧縮ばね１３３は、通路１０１１の空所１０１３内に収納され、押え板１３２の第２側縁部１３２２に結合されている。折り畳み可能な接続プラグ２が、上部ペンホルダー１０の収納空間部１０１内に収納されているときは、圧縮ばね１３３の高さ（ｃ）が、空所１０１３の高さ（ｄ）以上とする。押圧片１３１の外周の端から端までの長さ（端間長さ）（ａ）は、切欠孔１０１２の外周の端から端までの長さ（ｂ）以下とする。さらに、押え板１３２の外周の端から端までの長さ（端間長さ）（ｅ＋ｆ）は、通路１０１１の外周の端から端までの長さ（端間長さ）（ｇ＋ｈ）以下とする。
【００１６】
図２、３、４を併せて参照して説明する。圧縮ばね１３３に対応する折り畳み可能な接続プラグ２の端面は、第１の着脱係合凹部２５を有し、第１の着脱係合凹部２５に対向する支持座２６の端面は、第２の着脱係合凹部２６１を有する。
【００１７】
図１、３、５を併せて参照して説明する。折り畳み可能な接続プラグ２は上部ペンホルダー１０の収納空間部１０１内に収納されている。折り畳み可能な接続プラグ２は、支持座２６と、少なくとも１つの第１接続部２１と、少なくとも１つの第２接続部２２を具備する。折り畳み可能な接続プラグ２は、ＵＳＢ伝送インターフェースと適合可能な金属接点２４を有する。金属接点２４は、ＵＳＢ伝送インターフェースと適合可能な電子部品に電気的に接続されている。ＵＳＢ伝送インターフェースと適合可能な電子部品は、ＥＤＩ（Electronic Data Interchange：電子データ交換）装置であってもよい。本体３は、上部ペンホルダー１０の収納空間部１０１内に収納され、少なくとも１つの電子部品３１を具備する。
【００１８】
図５を参照して説明する。折り畳み可能な接続プラグ２は、少なくとも１つのトラック（溝）２３を有し、トラック２３は、第１接続部２１と第２接続部２２の対向する端面に連通状態に設けられており、少なくとも１つのファスナー２３１が、トラック２３に配設されている。圧縮ばね１２は、支持座２６と本体３との間に位置している。電気接続線４が支持座２６と本体３との間に配線され、本体３は、折り畳み可能な接続プラグ２と電気接続線４を介して電気的に接続されている。
【００１９】
図１、６を参照して説明する。折り畳み可能な接続プラグ２が収納空間部１０１に収納されているとき、押え板１３２の第２側縁部１３２２は、収納空間部１０１内の圧縮ばね１２が圧縮状態にある場合、第１の着脱係合凹部２５に係合している。ばね部材１３の押圧片１３１に力を加えると、押え板１３２の第２側縁部１３２２は、第１の着脱係合凹部２５から押し出され、ばね部材１３の圧縮ばね１３３は圧縮状態となる。一方で、収納空間部１０１内の圧縮ばね１２の予圧が解放されるので、折り畳み可能な接続プラグ２は、収納空間部１０１から飛び出すことになる。押圧片１３１の押圧動作を解除すると、押え板１３２の第２側縁部１３２２が第２の着脱係合凹部２６１に係合する。その後、ファスナー２３１を第１接続部２１と第２接続部２２との間の位置に移動することによって、第１接続部２１と第２接続部２２が、勝手に折れ曲がるのを防止することができる。折り畳み可能な接続プラグ２の金属接点２４は、ＵＳＢ伝送インターフェースに適合可能な電子部品（図示しない）に電気的に接続される。ＵＳＢ伝送インターフェースに適合可能な電子部品としては、コンピュータ、デジタルカメラ、複写機、携帯電話機などのＥＤＩ装置であってもよい。
【００２０】
図７を参照して本発明の第２の好適な実施例を説明する。本発明の第２の好適な実施例は、上部ペンホルダー１０と下部ペンホルダー１１が一体に形成されている点において、第１の好適な実施例と相違する。本実施例の他の構成は、第１の好適な実施例と同様である。
【００２１】
図８を参照して、第３の好適な実施例に係るＵＳＢメモリ装置によって特徴づけられるペンを説明する。第１及び第２の好適な実施例と同様に、ペンは、上部ペンホルダー１０と下部ペンホルダー１１を有するペンホルダー１を具備する。下部ペンホルダー１１は、ペン本体、例えば詰め替えケースを有し、上部ペンホルダー１０と下部ペンホルダー１１は、着脱自在に接続される。上部ペンホルダー１０は、その内部に収納空間部１０１を有し、収納空間部１０１の一端は、上部ペンホルダー１０の外周に連通し、上部ペンホルダー１０の外径は１２ｍｍ以下とする。
【００２２】
図８を参照して説明する。折り畳み可能な接続プラグ２は、上部ペンホルダー１０の収納空間部１０１内に収納されている。折り畳み可能な接続プラグ２は、支持座２６と、少なくとも１つの第１接続部２１と、少なくとも１つの第２接続部２２を具備する。折り畳み可能な接続プラグ２は、ＵＳＢ伝送インターフェースに適合可能な金属接点２４を有し、金属接点２４は、ＵＳＢ伝送インターフェースを介して電子部品に電気的に接続されている。ＵＳＢ伝送インターフェースに適合可能な電子部品としては、ＥＤＩ装置がある。支持座２６は、凹部２６２を有し、可動座１４が凹部２６２に配設されており、可動座１４は、押圧片１４１を有する。本体３は、上部ペンホルダー１０の収納空間部１０１内に収納されており、少なくとも１つの電子部品３１を具備する。
【００２３】
図８、９を参照して説明する。溝穴１０２が、折り畳み可能な接続プラグ２の凹部２６２に対応する状態で、上部ペンホルダー１０の外周に設けられている。溝穴１０２は、上部ペンホルダー１０の内壁と外壁間を貫通しており、押圧片１４１は、溝穴１０２の中を通って移動し、押圧片１４１の外端は、上部ペンホルダー１０の外周より突出している。
【００２４】
図８、９を参照してさらに説明する。折り畳み可能な接続プラグ２は、少なくとも１つのトラック（溝）２３を有し、トラック２３は、第１接続部２１と第２接続部２２の対向する端面と連通しており、ファスナー２３１がトラック２３に配設されている。電気接続線４が支持座２６と本体３との間に配置されており、本体３は電気接続線４を介して折り畳み可能な接続プラグ２に電気的に接続されている。
【００２５】
図８、９を参照してさらに説明する。折り畳み可能な接続プラグ２が収納空間部１０１に収納されているとき、押圧片１４１に力を加えて、押圧片１４１を溝穴１０２に沿って動かすと、折り畳み可能な接続プラグ２は、収納空間部１０１の外に押し出される。ファスナー２３１を第１接続部２１と第２接続部２２との間の位置に移動させると、第１接続部２１と第２接続部２２が、勝手に折れ曲がるのを防止できる。折り畳み可能な接続プラグ２の金属接点２４は、ＵＳＢ伝送インターフェースに適合可能な電子部品（図示しない）に電気的に接続される。電子部品（図示しない）としては、コンピュータ、デジタルカメラ、複写機、携帯電話機等のＥＤＩ装置がある。
【００２６】
図１０を参照して本発明の第４の好適な実施例を説明する。本発明の第４の好適な実施例は、上部ペンホルダー１０と下部ペンホルダー１１が一体に形成されている点において、第３の好適な実施例と相違する。本実施例の他の構成は、第３の好適な実施例と同様である。
【００２７】
以上説明してきたように、本発明は、ＵＳＢメモリ装置によって特徴づけられるペンを提供するものであり、これにより、持ち運びに便利で持ち易いというペン本来の機能を維持しつつ、メモリ自体を、パッケージ小型化技術を用いて効果的に小型化でき、折り畳み可能な接続プラグの折り畳み機能によって、折り畳み可能な接続プラグとメモリを収納空間部に収納し、紛失しにくい折り畳み式のメモリ装置が容易に得られる。結果として、本発明は、複合機能を有するものである。
【００２８】
本発明を現時点で最も実用的でかつ好ましいと思われる実施例を参照して説明してきたが、本発明は、開示された実施例に限定されるものではない。むしろ、本発明は、添付の請求項の要旨及び範囲内でなされる各種変容例や同様な構成も含むものである。即ち、添付の請求項は広く解釈されるべきであり、請求項記載の発明に、そのような変容例や同様構成が包摂される。
【符号の説明】
【００２９】
１          ペンホルダー
１０        上部ペンホルダー
１０１      収納空間部
１０１１    通路
１０１２    切欠孔
１０１３    空所
１０２      溝穴
１１        下部ペンホルダー
１２        圧縮ばね
１３        ばね部材
１３１      押圧片
１３２      押え板
１３２１    第１側縁部
１３２２    第２側縁部
１３３      圧縮ばね
１４１      押圧片
２          接続プラグ
２１        第１接続部
２２        第２接続部
２３        トラック（溝）
２３１      ファスナー
２４        金属接点
２５        第１の着脱係合凹部
２６        支持座
２６１      第２の着脱係合凹部
２６２      凹部
３          本体
３１        電子部品
４          接続線
【図１】
2010201910.tif 000003
【図２】
2010201910.tif 000004
【図３】
2010201910.tif 000005
【図４】
2010201910.tif 000006
【図５】
2010201910.tif 000007
【図６】
2010201910.tif 000008
【図７】
2010201910.tif 000009
【図８】
2010201910.tif 000010
【図９】
2010201910.tif 000011
【図１０】
2010201910.tif 000012